【手続補正書】
【提出日】平成28年11月14日(2016.11.14)
【手続補正１】
【補正対象書類名】特許請求の範囲
【補正対象項目名】全文
【補正方法】変更
【補正の内容】
【特許請求の範囲】
【請求項１】
所定条件の成立に基づいて抽選を行う抽選手段と、
該抽選手段による前記抽選の結果に応じて遊技の進行を制御する遊技制御手段と、
前記遊技が行われる遊技領域と、
該遊技領域を遊技者側から視認可能にする遊技窓部を備えた枠体と、を備える遊技機であって、
前記枠体は、
前記遊技窓部の下方に配置され遊技球を貯留する遊技球貯留皿を備えた皿ユニットと、
前記遊技窓部の外縁に略沿って当該遊技窓部の外側に配置され、前記遊技の進行に伴って実行される遊技演出に関連して発光可能な周発光手段と、
前記遊技窓部から離れる方向に所定の幅を有して前記周発光手段の前側を被覆すると共に透光性を有する周装飾部と、
前記周発光手段を構成する複数の周発光部の周方向の間に配置され、前記遊技演出に関連して発光可能な分割発光手段と、
前記遊技窓部から離れる方向に所定の幅を有して前記分割発光手段の前側を被覆すると共に少なくとも一部に透光性を有する分割装飾部と、を具備し、
前記周発光手段と前記分割発光手段とは、前記遊技演出に関連して互いに異なる発光色に制御可能とされ、
前記周発光手段の複数の周発光部は、それぞれ別の系統に分けられており、前記複数の周発光部ごとに発光制御可能とされ、
それぞれ別の系統に分けられる前記複数の周発光部のうち二以上の前記周発光部を同一基板上に設け、
前記複数の周発光部は、少なくとも発光手段を所定個数備える第１周発光部と、備えられている前記発光手段の個数が前記第１周発光部とは異なる第２周発光部と、を含み、
前記皿ユニットの前縁付近には前記皿ユニットを発光装飾する皿ユニット発光手段を設けた
ことを特徴とする遊技機。
【手続補正２】
【補正対象書類名】明細書
【補正対象項目名】発明の名称
【補正方法】変更
【補正の内容】
【発明の名称】遊技機
【手続補正３】
【補正対象書類名】明細書
【補正対象項目名】０００１
【補正方法】変更
【補正の内容】
【０００１】
本発明は、遊技機に関するものである。
【手続補正４】
【補正対象書類名】明細書
【補正対象項目名】０００２
【補正方法】変更
【補正の内容】
【０００２】
従来、可変表示装置の表示結果が特定の識別情報となった場合に、大当りとする可変表示装置を備えた遊技機が知られている（例えば、特許文献１）。この種の遊技機では、遊技領域の前面を閉鎖し開閉可能に支持された扉枠を備えており、扉枠に形成された遊技窓を介して遊技者側から遊技領域が視認できるようになっていると共に、遊技窓の前面外周にＬＥＤ等の発光手段によって発光装飾可能な装飾体が備えられている。
【手続補正５】
【補正対象書類名】明細書
【補正対象項目名】０００４
【補正方法】変更
【補正の内容】
【０００４】
ところが、従来の遊技機では、発光装飾によって遊技者に与えられるインパクトが一過性のものとなり易く、遊技者によっては早期に見慣れてしまい、装飾体による発光装飾を楽しめなくなったり、他の遊技機へ関心が移り易くなってしまったりして、遊技に対する興趣が低下するおそれがあった。
【手続補正６】
【補正対象書類名】明細書
【補正対象項目名】０００５
【補正方法】変更
【補正の内容】
【０００５】
本発明は、このような事情に鑑みてなされたものであり、その目的とするところは、遊技興趣の低下を抑止可能な遊技機を提供することにある。
【手続補正７】
【補正対象書類名】明細書
【補正対象項目名】０００７
【補正方法】変更
【補正の内容】
【０００７】
請求項１に記載の発明は、所定条件の成立に基づいて抽選を行う抽選手段と、
該抽選手段による前記抽選の結果に応じて遊技の進行を制御する遊技制御手段と、
前記遊技が行われる遊技領域と、
該遊技領域を遊技者側から視認可能にする遊技窓部を備えた枠体と、を備える遊技機であって、
前記枠体は、
前記遊技窓部の下方に配置され遊技球を貯留する遊技球貯留皿を備えた皿ユニットと、
前記遊技窓部の外縁に略沿って当該遊技窓部の外側に配置され、前記遊技の進行に伴って実行される遊技演出に関連して発光可能な周発光手段と、
前記遊技窓部から離れる方向に所定の幅を有して前記周発光手段の前側を被覆すると共に透光性を有する周装飾部と、
前記周発光手段を構成する複数の周発光部の周方向の間に配置され、前記遊技演出に関連して発光可能な分割発光手段と、
前記遊技窓部から離れる方向に所定の幅を有して前記分割発光手段の前側を被覆すると共に少なくとも一部に透光性を有する分割装飾部と、を具備し、
前記周発光手段と前記分割発光手段とは、前記遊技演出に関連して互いに異なる発光色に制御可能とされ、
前記周発光手段の複数の周発光部は、それぞれ別の系統に分けられており、前記複数の周発光部ごとに発光制御可能とされ、
それぞれ別の系統に分けられる前記複数の周発光部のうち二以上の前記周発光部を同一基板上に設け、
前記複数の周発光部は、少なくとも発光手段を所定個数備える第１周発光部と、備えられている前記発光手段の個数が前記第１周発光部とは異なる第２周発光部と、を含み、
前記皿ユニットの前縁付近には前記皿ユニットを発光装飾する皿ユニット発光手段を設けたことを特徴とする。
また、本発明とは別の発明として以下の手段を例示する。
（解決手段１）
遊技の進行を制御する主制御基板と、該主制御基板からのコマンドをコマンド受信部で受信してコマンド記憶部に記憶するとともに、該記憶したコマンドをコマンド解析制御手段により解析して該解析したコマンドに基づいて演出の進行を制御する演出制御基板と、前記主制御基板及び前記演出制御基板に電力を供給する電源基板と、を備えるパチンコ遊技機であって、前記電源基板は、少なくとも、前記主制御基板及び演出制御基板の基準制御電圧を作成する基準制御電圧作成部と、前記主制御基板から前記演出制御基板へコマンドを送信する際に用いる通信制御電圧を作成する通信制御電圧作成部と、を備え、前記パチンコ遊技機は、さらに、当該パチンコ遊技機への電力の停電又は瞬停の兆候を監視するとともに、該電力の停電又は瞬停の兆候を検出すると、停電予告として停電予告信号を出力する停電監視部を備え、前記主制御基板は、少なくとも、前記基準制御電圧作成部が作成する前記基準制御電圧が印加される第１の電源ラインと、前記通信制御電圧作成部が作成する前記通信制御電圧が印加される第２の電源ラインと、前記基準制御電圧作成部の補助電源として機能する第１の補助電源と、前記通信制御電圧作成部の補助電源として機能する第２の補助電源と、前記第２の電源ラインとアノード端子とが電気的に接続されるとともに、前記第２の補助電源とカソード端子とが電気的に接続されるダイオードと、を備え、前記第１の補助電源と前記第２の補助電源とは、前記演出制御基板に対してそれぞれ電気的に絶縁されるように回路構成され、前記主制御基板からのコマンドが前記演出制御基板へ送信される伝送ラインは、前記ダイオードのカソード端子と前記第２の補助電源とが電気的に並列接続されるとともに、瞬停が発生した際に、前記第２の電源ラインから当該ダイオードを介して印加される前記通信制御電圧が低下しても当該第２の補助電源からの当該通信制御電圧が印加され、前記演出制御基板は、少なくとも、前記コマンド受信部が受信したコマンドを前記コマンド記憶部に記憶する受信コマンド記憶制御手段と、前記停電監視部からの停電予告信号が入力されたことを契機として実行する停電予告信号割り込み制御手段と、を備え、前記停電予告信号割り込み制御手段は、少なくとも、前記主制御基板が送信中のコマンドを受信することができる予め定めた期間だけ待機するコマンド受信待機制御手段を含み、前記受信コマンド記憶制御手段は、前記コマンド受信待機制御手段により前記予め定めた期間だけ待機する状態であるときに前記主制御基板からの送信中のコマンドを前記コマンド受信部が受信すると、該受信したコマンドを前記コマンド記憶部に記憶し、前記演出制御基板は、復電時において、前記コマンド受信待機制御手段により前記予め定めた期間だけ待機する状態であるときに前記受信コマンド記憶制御手段により前記コマンド記憶部に記憶したコマンドを前記コマンド解析制御手段により解析して該解析したコマンドに基づいて演出の進行を制御することにより復帰することを特徴とするパチンコ遊技機。
【手続補正８】
【補正対象書類名】明細書
【補正対象項目名】００２５
【補正方法】変更
【補正の内容】
【００２５】
本発明のパチンコ遊技機においては、遊技興趣の低下を抑止することができる。